(57)【要約】【課題】安価で、かつ、見栄えも良好な引き戸用ロックセットを提供することを目的とする。【解決手段】戸当たり枠１に固定されるストライク２と、  引き戸の戸先框３に固定され、係止回転位置において前記ストライク２に係止して引き戸をロックする係止部材４を備えた引き戸用ロック装置５とからなり、  前記係止部材４は、ロック状態において戸当たり枠１内に侵入してストライク２の係止面６に係止するとともに、  ストライク２には、係止回転位置の係止部材４が衝接した際に該係止部材４に係止解除回転位置側の回転分力を付与する傾斜面７が形成される。【選択図】  図１
2006233696.tif 000002
【特許請求の範囲】
【請求項１】
戸当たり枠に固定されるストライクと、
引き戸の戸先框に固定され、係止回転位置において前記ストライクに係止して引き戸をロックする係止部材を備えた引き戸用ロック装置とからなり、
前記係止部材は、ロック状態において戸当たり枠内に侵入してストライクの係止面に係止するとともに、
ストライクには、係止回転位置の係止部材が衝接した際に該係止部材に係止解除回転位置側の回転分力を付与する傾斜面が形成される引き戸用ロックセット。
【請求項２】
戸当たり枠に固定され、引き戸用ロック装置に装着された係止部材が係止して引き戸をロックするストライクであって、
戸当たり枠表面への固定片と、
固定片の背面に膨隆され、戸当たり枠に開設された取付開口から挿入される正面に開口されたボックス部と、
ボックス部の上下いずれか一方の辺縁から中央部に向けて延設されて正面開口の一部を覆い、背面を前記係止部材に対する係止面とする覆い片と、
覆い片から前方に突出され、前記係止部材が衝接した際に該係止部材に係止面との係止解除回転位置側の回転分力を付与する傾斜面を前端に備えたガイド突部と、
を有する引き戸用ストライク。
【請求項３】
引き戸の戸先框に固定され、戸当たり枠側のストライクに係止させて引き戸をロックする引き戸用ロック装置であって、
先端に前記ストライクへの係止フックを備え、両側壁部に円柱状のヒンジ突部を膨隆させた合成樹脂製の係止部材と、
戸先框表面への固定片裏面から戸先框内方に向けて２枚のヒンジ翼片を突設した合成樹脂製のケースと、
を有し、
前記係止部材とケースとは、ヒンジ突部をヒンジ翼片に開設したヒンジ孔に嵌合させるとともに、係止部材の両側壁がヒンジ翼片の弾性復元力により押圧されてサブアッセンブルされる引き戸用ロック装置。
【請求項４】
軸部が戸先框の室内側壁面に開設された室内側装着孔から回転操作自在に挿入されて前記ヒンジ突部に設けられた貫通孔を貫通し、操作頭部が戸先框の室内側壁面に露出する操作摘みと、
取付突部が戸先框の室外側壁面に開設された室外側装着孔から回転操作自在に挿入されて前記操作摘みの軸部後端に回転方向に連結され、頭部が戸先框の室外側壁面から露出するキャップ部材と、
キャップ部材を貫通して操作摘みの軸部にねじ込まれる連結ねじと、
を有する請求項３記載の引き戸用ロック装置。
【発明の詳細な説明】
【技術分野】
【０００１】
本発明は、引き戸用ロックセットに関するものである。
【背景技術】
【０００２】
引き戸の戸先框に固定されるロック装置を戸当たり枠側のストライクに係止させて引き戸をロックする錠装置としては、特許文献１記載のものが知られている。この従来例において、戸先框側に固定されるケース内にはアーム（係止部材）が回転操作可能に収容され、戸当たり枠側には錠受け（ストライク）が固定される。ストライクは、戸当たり枠の表面から突出した位置に係止部材の係止面が設定され、引き戸を閉じた後、係止部材を回転させて係止面に係止させることにより引き戸をロックすることができる。
【０００３】
しかし、この従来例において、ストライクの戸当たり枠表面からの突出寸法を小さくするためには、係止部材のフック部の長さ（ストライクとの係止面から自由端までの長さ）を短くする必要がある。このようにフック部の長さを短くすると、例えば、過って係止部材を係止回転位置のままにして引き戸を閉じ方向に移動させた際にフック部がストライクに衝突し、破損するおそれがある。これを防止するためには、係止部材を金属材料により形成するなど、係止部材の強度向上を行う必要が生じ、コスト上昇をもたらす。
【０００４】
上述した問題は、特許文献２に記載されるように、ストライク側にフック部が衝接した際に係止部材に回転分力を発生させる傾斜面を設けることによっても解消できるが、この場合には、傾斜面を設けた分だけストライクの戸当たり枠表面からの突出寸法が大きくなるために、見栄えが悪いという問題を惹起する。
【特許文献１】特開平１０-１０２８７３号公報
【特許文献２】特開平１１-２２２６６号公報
【発明の開示】
【発明が解決しようとする課題】
【０００５】
本発明は、以上の欠点を解消すべくなされたものであって、安価で、かつ、見栄えも良好な引き戸用ロックセットを提供することを目的とする。また、本発明の他の目的は、ロックセットに適した引き戸用ストライク、および引き戸用ロック装置の提供にある。さらに、本発明の他の目的は、構造を簡単にすることにより安価な引き戸用ロック装置の提供にある。
【課題を解決するための手段】
【０００６】
本発明によれば上記目的は、
戸当たり枠１に固定されるストライク２と、
引き戸の戸先框３に固定され、係止回転位置において前記ストライク２に係止して引き戸をロックする係止部材４を備えた引き戸用ロック装置５とからなり、
前記係止部材４は、ロック状態において戸当たり枠１内に侵入してストライク２の係止面６に係止するとともに、
ストライク２には、係止回転位置の係止部材４が衝接した際に該係止部材４に係止解除回転位置側の回転分力を付与する傾斜面７が形成される引き戸用ロックセットを提供することにより達成される。
【０００７】
引き戸用ロック装置５は、引き戸の戸先框３に固定され、係止部材４をストライク２に係止させることにより引き戸を、開放操作不能なロック状態にすることができる。ストライク２には傾斜面７が形成されており、係止回転位置の係止部材４が衝接した際に係止部材４を衝突回避位置側に回転させる。この結果、係止部材４を係止回転位置のままにして過って引き戸を閉じた際にも、係止部材４に大きな負荷が加わることがなくなるために、係止部材４を金属に比して強度の低い合成樹脂材により形成することが可能になり、コストを低減させることができる。
【０００８】
また、係止部材４への係止面６は戸当たり枠１内に設定されているために、戸当たり枠１からの飛び出し寸法を可及的に小さくすることが可能になり、見栄えを向上させ、さらには、引っ掛かり感をなくすことができる。また、傾斜面７を戸当たり枠１への固定片８より奥側に配置し、戸当たり枠１内部に設定した場合には、戸当たり枠１からの飛び出しを完全になくすることができる。
【０００９】
上述した引き戸用ロックセットには、
引き戸の戸先框３に固定され、戸当たり枠１側のストライク２に係止させて引き戸をロックする引き戸用ロック装置５であって、
先端に前記ストライク２への係止フック１３を備え、両側壁部に円柱状のヒンジ突部１４を膨隆させた合成樹脂製の係止部材４と、
戸先框３表面への固定片１５裏面から戸先框３内方に向けて２枚のヒンジ翼片１６を突設した合成樹脂製のケース１７と、
を有し、
前記係止部材４とケース１７とは、ヒンジ突部１４をヒンジ翼片１６に開設したヒンジ孔１８に嵌合させるとともに、係止部材４の両側壁がヒンジ翼片１６の弾性復元力により押圧されてサブアッセンブルされる引き戸用ロック装置５が使用できる。
【００１０】
上述したように、係止部材４を合成樹脂材により形成することにより、材料費、加工費等の低減に加え、防錆性能の向上、軽量化等を図ることができるが、以上のように構成することにより、係止部材４を合成樹脂の弾性を利用してケース１７のヒンジ翼片１６にがたつきなく保持することができるために、サブアッセンブルのためのねじ等が不要となる上に、がたつき防止の特別の部材も不要となるために、コスト低減を図ることができる。
【００１１】
さらに、
軸部１９が戸先框３の室内側壁面に開設された室内側装着孔２０から回転操作自在に挿入されて前記ヒンジ突部１４を貫通する貫通孔２１を貫通し、操作頭部２２が戸先框３の室内側壁面に露出する操作摘み２３と、
取付突部２４が戸先框３の室外側壁面に開設された室外側装着孔２５から回転操作自在に挿入されて前記操作摘み２３の軸部１９後端に回転方向に連結され、頭部２６が戸先框３の室外側壁面から露出するキャップ部材２７と、
キャップ部材２７を貫通して操作摘み２３の軸部１９にねじ込まれる連結ねじ２８と、
を有する引き戸用ロック装置５を構成した場合には、部品点数が極めて少なくなり、よりコスト低減が図られる。
【発明の効果】
【００１２】
本発明によれば、安価で、かつ、見栄えも良好な引き戸用ロックセットを得ることができる。
【発明を実施するための最良の形態】
【００１３】
図１〜５に浴室用引き戸に適した本発明の実施の形態を示す。図１に示すように、引き戸用ロックセットＡは、引き戸の戸先框３に固定される引き戸用ロック装置５と、戸当たり枠１側に固定されるストライク２とからなる。
【００１４】
図２、４に示すように、引き戸用ロック装置５は、ケース１７と、係止部材４と、操作摘み２３と、キャップ部材２７と、連結ねじ２８とから構成され、連結ねじ２８を除く全部品は、合成樹脂材を射出成型して形成される。
【００１５】
先ず、ケース１７は、引き戸の戸先框３に固定する固定片１５から引き戸内方側に２枚のヒンジ翼片１６、１６を突設して形成される。固定片１５には、戸先框３に止着するねじ２９が挿通するネジ挿通孔１５ａと、係止部材挿通開口１５ｂが形成される。この固定片１５は、戸先框３の先端面から前方に向けて突設される突条３ａの高さとほぼ同一高さに形成され、戸先框３に固定された際に突条３ａ間のスペースに飛び出すことなく収められる。
【００１６】
ヒンジ翼片１６は、内壁面間の間隔が、基端部において上記係止部材４の幅方向寸法とほぼ同一寸法で、先端に行くに従って漸次幅狭になるように平行位置に配置される。これら各ヒンジ翼片１６には、円形のヒンジ孔１８が正対して開設されるとともに、ヒンジ孔１８と同心に、ストローク規制開口１６ａ、クリック発生孔１６ｂ、円弧孔１６ｃが配置される。クリック発生孔１６ｂと円弧孔１６ｃとは、ヒンジ翼片１６の自由端縁側で、同一円周上に配置される。
【００１７】
係止部材４は、一端部に係止フック１３を、反対端部にケース連結部４ａを備える。ケース連結部４ａの左右両側壁面には、ヒンジ突部１４、ストローク規制突起４ｂ、および半球状のクリック突起４ｃが膨隆される。ヒンジ突部１４は上記ヒンジ翼片１６のヒンジ孔１８に嵌合可能な円形形状をなしており、ヒンジ突部１４の中心には、後述する操作摘み２３の軸部１９が挿通する小判形状の貫通孔２１が設けられる。
【００１８】
この係止部材４は、ヒンジ翼片１６を弾性的に撓ませながらヒンジ翼片１６間を押し広げ、ヒンジ孔１８にヒンジ突部１４を嵌合させてケース１７に装着される。係止フック１３が係止部材挿通開口１５ｂから外部に突出した装着状態において、係止部材４はヒンジ孔１８周りに垂直回転自在であり、かつ、簡単に脱落することなくサブアッセンブル状態となる。
【００１９】
また、装着状態において、係止部材４の幅寸法より狭い間隔のヒンジ翼片１６は、弾性復元力により係止部材４の両側壁面を押し付けるために、係止部材４とケース１７との間には、適宜の摺動抵抗が発生し、好適な操作感が得られる。
【００２０】
さらに、係止部材４をケース１７に装着した状態で、係止部材４は、ストローク規制突起４ｂが嵌合する円弧状のストローク規制開口１６ａにより回転ストロークが規制される。係止部材４をストローク終端まで移動させると、係止部材４のクリック突起４ｃは、ヒンジ翼片１６の円弧孔１６ｃから一旦脱離した後、ストローク終端において２個のクリック発生孔１６ｂのいずれかに落ち込む。円弧孔１６ｃからの脱離には、ヒンジ翼片１６の弾性変形を伴い、クリック発生孔１６ｂへの落ち込み時には弾性変形の解消が発生するために、利用者は、ストローク終端位置における状態変化を好適な節度感（クリック感）として認識することができ、さらに、係止部材４の姿勢が保持される。
【００２１】
以上のように形成されるサブアッセンブル体は、固定片１５をねじ２９によりねじ止めすることにより戸先框３に固定される。戸先框３には、サブアッセンブル体が固定された状態で係止部材４の貫通孔２１に正対する室内側装着孔２０と室外側装着孔２５とが予め開設されており、室内側装着孔２０には操作摘み２３が挿入される。操作摘み２３は、操作頭部２２一端から軸部１９を突出させて形成され、操作頭部２２の軸部１９側の端面は室内側装着孔２０に挿通不能な大きさとされて戸先框３内への落ち込みが防止される。軸部１９は、上記係止部材４の貫通孔２１に空転不能に挿通する小判型断面形状を有しており、端面に回り止め突起１９ａが突設されるとともに、中心部には、ねじ孔１９ｂが形成される。
【００２２】
キャップ部材２７は、頭部２６の裏面に取付突部２４を突設して形成され、取付突部２４を室外側装着孔２５に嵌合させたて装着される。頭部２６は室外側装着孔２５に挿通不能な大きさに形成され、戸先框３内部への落ち込みが防止される。取付突部２４の端面には嵌合凹部２４ａが設けられており、室外側装着孔２５に取付突部２４を嵌合させた状態で、嵌合凹部２４ａが上記操作摘み２３側の回り止め突起１９ａに嵌合し、回転方向に連結される。
【００２３】
また、キャップ部材２７の中心部にはねじ挿通孔２７ａが設けられており、図４（ａ）に示すように、このねじ挿通孔２７ａに挿通する連結ねじ２８を操作摘み２３のねじ孔１９ｂにねじ込むことにより、キャップ部材２７と操作摘み２３とが相互に分離不能に連結される。キャップ部材２７には、連結ねじ２８の頭部２８ａが突出することのないように該頭部２６を収容するための凹部２７ｂが形成されるとともに、非常時に室外側からキャップ部材２７を回転させて係止部材４を操作するためのスリット２７ｃが形成される。
【００２４】
一方、ストライク２は合成樹脂材の射出成型品であり、図３、４に示すように、戸当たり枠１表面への固定片８の裏面からボックス部１０を膨隆させて形成される。ボックス部１０は正面側に向けて開口しており、この開口部の上部３分の１程度を覆うように、覆い片１１が垂下され、残余の開口部がフック挿入部３１として利用される。覆い片１１の左右方向中央部には、高さ方向を左右方向に合致させた三角柱形状のガイド突部１２が突設され、前端面に前上がりの傾斜面７が形成される。ガイド突部１２は、戸当たり枠１に形成されるホゾの溝壁１ａより低背に形成される。
【００２５】
このストライク２は戸当たり枠１に開設された取付開口９にボックス部１０を嵌合させた後、固定片８を覆う板金製の取付プレート３０を戸当たり枠１にねじ止めして固定される。ストライク２の位置決めを行うために、固定片８の表面には、取付プレート３０の位置決め孔３０ａに嵌合する位置決めボス８ａが突設される。この位置決めボス８ａは、取付プレート３０の板厚よりも突出量が大きいため、取付プレート３０との嵌合状態において、先端が位置決め孔３０ａから突出する。よって、引き戸を閉めると、ケース１７の固定片１５は、板金製の取付プレート３０に接触することなく位置決めボス８ａに当接するため、衝撃音の発生が抑えられる。また、取付プレート３０には、上記フック挿入部３１に連通するとともに、ガイド突部１２が嵌合可能な開口３０ｂが開設される。取付プレート３０は、ガイド突部１２が形成される領域を除く覆い片１１を表面から覆う状態となるために、図４（ｂ）に示すように、係止面６に係止フック１３が係止した状態で、引き戸に開放方向の力が加えられた場合のストライクへの応力負担を分担する。
【００２６】
したがってこの実施の形態において、係止部材４を係止解除回転位置、すなわち、係止フック１３が戸先框３内部に収納される状態で引き戸を閉じた後、操作摘み２３をロック方向に回転させると、操作摘み２３に対して空転不能な係止部材４は係止回転位置方向に回転する。係止回転位置において図４に示すように、係止フック１３はストライク２の覆い片１１の背面に設定された係止面６に係止して引き戸はロック状態となる。係止回転位置において係止部材４のクリック突起４ｃがクリック発生孔１６ｂに落ち込み、係止部材４が妄りに係止解除位置側に回転することが防止される。
【００２７】
これに対し、係止部材４を係止回転位置、すなわち、係止フック１３が戸先框３から飛び出した状態で過って引き戸を閉じた場合には、図５（ａ）に示すように、係止フック１３はストライク２の傾斜面７に衝突する。傾斜面７への衝接により、係止部材４には係止解除方向への回転力が付与され、結果、係止部材４は、図５（ｂ）に示すように、反時計方向に回転し、衝撃力を吸収する。上記クリック突起４ｃのクリック発生孔１６ｂからの脱離に要する係止部材４へのトルクは、係止部材４の係止回転位置への姿勢保持に必要なトルクと、上述した衝撃力に対して姿勢保持した場合のストライク２への発生応力とを考慮して適宜決定される。
【図面の簡単な説明】
【００２８】
【図１】本発明を示す図で、（ａ）は引き戸用ロックセットの取付状態を室内側から見た示す斜視図、（ｂ）は（ａ）を室内側から見た斜視図である。
【図２】引き戸用ロック装置を示す図で、（ａ）は室外側から見た分解斜視図、（ｂ）は室内側から見た分解斜視図である。
【図３】ストライクを示す斜視図である。
【図４】ロック状態を示す図で、（ａ）は（ｂ）の４Ａ-４Ａ線断面図、（ｂ）は縦断面図である。
【図５】本発明の動作を示す説明図で、（ａ）は係止フックが傾斜面に衝突した状態を示す図、（ｂ）は係止部材が回転した状態を示す図である。
【符号の説明】
【００２９】
１        戸当たり枠
２        ストライク
３        戸先框
４        係止部材
５        引き戸用ロック装置
６        係止面
７        傾斜面
８        固定片
９        取付開口
１０      ボックス部
１１      覆い片
１２      ガイド突部
１３      係止フック
１４      ヒンジ突部
１５      固定片
１６      ヒンジ翼片
１７      ケース
１８      ヒンジ孔
１９      軸部
２０      室内側装着孔
２１      貫通孔
２２      操作頭部
２３      操作摘み
２４      取付突部
２５      室外側装着孔
２６      頭部
２７      キャップ部材
２８      連結ねじ
Ａ        引き戸用ロックセット
【図１】
2006233696.tif 000003
【図２】
2006233696.tif 000004
【図３】
2006233696.tif 000005
【図４】
2006233696.tif 000006
【図５】
2006233696.tif 000007